(57)【要約】【課題】  パワーオフ状態におけるデモンストレーション表示機能を有する電子機器において、簡易な操作によるデモンストレーション表示の起動及び解除、並びに確実なデモンストレーション表示の解除防止を実現する。【解決手段】  外部の操作装置を介して電子機器のパワーオン操作が行われたとき、デモンストレーション表示設定を「オフ」に変更するようにするとともに、電子機器の初期状態においてデモンストレーション表示設定を「オン」に設定しておくようにした。これにより、電子機器を商用電源に接続するだけで自動的にデモンストレーション表示を開始させることができるとともに、外部の操作装置を用いて当該電子機器をパワーオン操作するだけで、デモンストレーション表示を解除することができる。【選択図】        図４
2006215380.tif 000002
【特許請求の範囲】
【請求項１】
パワーオフ状態においてデモンストレーション表示を表示し得るようになされた電子機器において、
上記デモンストレーション表示を表示するか否かを定めるデモンストレーション表示設定が「オン」のとき、表示部に上記デモンストレーション表示を表示させ、デモンストレーション表示設定が「オフ」のとき、上記デモンストレーション表示の表示を行わない表示制御手段と、
外部の操作装置を介して上記電子機器のパワーオン操作が行われたとき、上記デモンストレーション表示設定を「オフ」に変更する設定変更手段と
を具えることを特徴とする電子機器。
【請求項２】
上記デモンストレーション表示設定は、上記電子機器の初期状態において「オン」に設定されている
ことを特徴とする請求項１に記載の電子機器。
【請求項３】
上記設定変更手段は、
所定の設定メニュー上で上記デモンストレーション表示設定が変更されている場合、上記外部の操作装置を介して上記パワーオン操作が行われても上記デモンストレーション表示設定を変更しない
ことを特徴とする請求項１に記載の電子機器。
【請求項４】
上記設定メニューは、上記外部の操作装置を介してのみ設定変更が可能である
ことを特徴とする請求項３に記載の電子機器。
【請求項５】
パワーオフ状態においてデモンストレーション表示を表示し得るようになされた電子機器における、上記デモンストレーション表示の表示制御方法において、
上記デモンストレーション表示を表示するか否かを定めるデモンストレーション表示設定が「オン」のとき、表示部に上記デモンストレーション表示を表示させ、デモンストレーション表示設定が「オフ」のとき、上記デモンストレーション表示の表示を行わない表示ステップと、
外部の操作装置を介して上記電子機器のパワーオン操作が行われたとき、上記デモンストレーション表示設定を「オフ」に変更する設定変更ステップと
を具えることを特徴とする表示制御方法。
【請求項６】
上記デモ表示設定は、上記電子機器の初期状態において「オン」に設定されている
ことを特徴とする請求項５に記載の表示制御方法。
【請求項７】
上記設定変更ステップは、
所定の設定メニュー上で上記デモンストレーション表示設定が変更されている場合、上記外部の操作装置を介して上記パワーオン操作が行われても上記デモンストレーション表示設定を変更しない
ことを特徴とする請求項５に記載の表示制御方法。
【請求項８】
上記設定メニューは、上記外部の操作装置を介してのみ設定変更が可能である
ことを特徴とする請求項７に記載の表示制御方法。
【発明の詳細な説明】
【技術分野】
【０００１】
本発明は電子機器及び表示制御方法に関し、例えばオーディオ機器に適用して好適なものである。
【背景技術】
【０００２】
従来、オーディオアンプやＤＶＤ（Digital Versatile Disk）プレーヤ等の電子機器には、販売店における店頭展示の際に、来店客に対し当該電子機器をアピールして販売を促進するためのデモンストレーション表示（以下、単にデモ表示と呼ぶ）機能を備えたものがある。デモ表示は、電子機器がパワーオフの状態において、当該電子機器が備える機能や特徴的な構成等の情報を、その表示部に文字や画像で表示するものである。
【０００３】
かかるデモ表示は、ユーザが購入後自宅等で使用する際には不要となるため、簡易な操作で表示解除可能であることが求められる一方、店頭展示時においては、来店客に簡単に表示を解除されないことが求められる。
【０００４】
このような相反する要求に対応するため、専用の店頭用リモコンを用いてのみデモ表示の起動及び解除が可能になされた電子機器が提案されている（例えば、特許文献１参照）。
【特許文献１】特開２００４−３０４４８７公報
【発明の開示】
【発明が解決しようとする課題】
【０００５】
ところが上述した電子機器では、店頭用リモコンを販売店毎に用意する必要があるという問題がある。
【０００６】
また、電子機器に設けられた複数のボタンを同時押下する多重押しのような専用操作を行うことにより、デモ表示が起動及び解除されるようになされた電子機器もあるが、この場合複雑な専用操作をユーザに強いるとともに、ユーザが意図せずに上述した専用操作を行ってデモ表示を起動してしまったり、さらには当該専用操作を知る来店客によってデモ表示を解除されてしまうことがあるという問題があった。
【０００７】
本発明は以上の点を考慮してなされたもので、簡易な操作によるデモ表示の起動及び解除、並びに確実な表示解除防止を行い得る電子機器及び表示制御方法を提案しようとするものである。
【課題を解決するための手段】
【０００８】
かかる課題を解決するため本発明においては、パワーオフ状態においてデモンストレーション表示を表示し得るようになされた電子機器において、デモンストレーション表示を表示するか否かを定めるデモンストレーション表示設定が「オン」のとき、表示部にデモンストレーション表示を表示させ、デモンストレーション表示設定が「オフ」のとき、デモンストレーション表示の表示を行わない表示制御手段と、外部の操作装置を介して電子機器のパワーオン操作が行われたとき、デモンストレーション表示設定を「オフ」に変更する設定変更手段とを電子機器に設けた。そして、電子機器の初期状態においてデモンストレーション表示設定を「オン」に設定しておくようにした。
【０００９】
これにより、電子機器を商用電源に接続するだけで自動的にデモンストレーション表示を開始させることができるとともに、外部の操作装置を用いて当該電子機器をパワーオン操作するだけで、デモンストレーション表示を解除することができる。
【００１０】
また設定変更手段は、設定メニュー上でデモンストレーション表示設定が変更されている場合、外部の操作装置を介してパワーオン操作が行われてもデモンストレーション表示設定を変更しないようにしたとともに、設定メニューは外部の操作装置を介してのみ設定変更が可能であるようにした。
【００１１】
これにより電子機器は、設定メニュー上でデモンストレーション表示設定を「オン」に変更しておけば、外部の操作装置を介したパワーオン操作がなされた場合でもデモンストレーション表示を継続する。
【発明の効果】
【００１２】
本発明によれば、初期状態の電子機器を商用電源に接続するだけで、自動的にデモンストレーション表示を開始させられるとともに、外部の操作装置を用いたパワーオン操作を行うだけで当該デモンストレーション表示を解除することができる。そして、設定メニュー上でデモンストレーション表示設定を「オン」に変更しておけば、外部の操作装置を介したパワーオン操作がなされた場合でもデモンストレーション表示を継続させることができる。
【発明を実施するための最良の形態】
【００１３】
以下、図面について、本発明の一実施の形態を詳述する。
【００１４】
（１）電子機器の構成
図１において、１は全体として本発明による電子機器を示す。実際上、この電子機器１はサラウンドアンプ内蔵型ＤＶＤプレーヤでなり、外部スピーカ及びモニタを接続することによりホームシアターを容易に構成し得るようになされている。
【００１５】
電子機器１の正面パネル２における左側上部には、当該電子機器１のパワーをオン／オフするためのパワーボタン３が設けられている。また、正面パネル２の右端には再生音量を調整するためのボリュームダイヤル４が設けられている。
【００１６】
また正面パネル２の左側には、当該ＤＶＤやＣＤ（Compact Disk）等の光ディスクを装着するためのディスクトレイ５が開閉自在に設けられているとともに、その右側上方には当該ディスクトレイ５を開閉させるためのトレイ開閉ボタン６が設けられている。なお、この電子機器１は複数枚の光ディスクを蓄積しそのうちの１枚を選択して再生するディスクチェンジャ機能を有している。
【００１７】
また、ボリュームダイヤル４の左側には、リモートコマンダー２０（図２）から送信される赤外光を受光するための赤外線受光部７が設けられているとともに、さらにその左側には、電子機器１の動作状態を文字列で詳細に表示するための表示部９が設けられている。
【００１８】
この表示部９は、アルファベットや数字等の文字を最大１０文字同時に表示し得るようになされており、電子機器１がパワーオンの状態において、当該電子機器１の動作モード、再生中の光ディスクのトラック番号や再生経過時間、各種設定値等の詳細な動作情報をユーザに通知するようになされている。
【００１９】
一方、図２は電子機器１に付属されるリモートコマンダー２０の外観構成を示し、電子機器１のパワーをオン／オフするためのパワーボタン２１、テンキー２２、再生音量を調節するためのボリュームボタン２３、表示部９（図１）やモニタ（図示せず）上での設定メニュー等におけるカーソル移動や決定操作に用いる十字キー２４、設定メニューを起動するためのメニューボタン２５、光ディスクの再生動作等を指示するための再生動作ボタン２６、各種操作に応じた操作信号を電子機器１に対して赤外光を介して送信する赤外光送信部２７が設けられている。
【００２０】
また図３は電子機器１の回路構成を示し、マイコン１１が制御部１２を介して電子機器１全体を制御するようになされている。この電子機器１には、１００Ｖの商用電源を降圧及び整流する主電源部１３と、当該主電源部１３から電源供給を受けて、マイコン１１及び制御部１２に対してそれぞれ電源供給を行うマイコン用電源部１４及び制御部用電源部１５が設けられている。これにより電子機器１は、マイコン１１及び制御部１２に対して独立して電源供給を行い得るようになされている。
【００２１】
マイコン１１は、図示しないＲＯＭ（Read Only Memory）に格納された各種制御プログラムを読み出して実行することにより、電子機器１の各種動作を制御する。
【００２２】
またマイコン１１には、電源ボタン３、トレイ開閉ボタン６、ボリュームダイヤル４（図１）等から構成される操作部１７と、表示部９と、赤外線受光部７とが接続されている。
【００２３】
電子機器１は、主電源部１３が商用電源に接続されている状態において、マイコン１１に対してはマイコン用電源部１４から常に電源供給が行われ、これによりマイコン１１は電子機器１がパワーオフの状態においても常時動作している。そしてマイコン１１はパワーオフ状態において、操作部１７のパワーボタン３が押下されるか、あるいはリモートコマンダー２０のパワーボタン２１（図２）が押下されると、この操作に応じて電子機器１全体をパワーオン状態へと移行して起動させる。すなわちマイコン１１はパワーオン操作に応じて制御部用電源部１５を制御し、制御部１５及び電子機器１の各部に対する電源供給を開始させる。
【００２４】
またマイコン１１は、電子機器１がパワーオンの状態において、操作部１７のパワーボタン３が押下されるか、あるいはリモートコマンダー２０のパワーボタン２１が押下されると、この操作に応じて電子機器１全体をパワーオフ状態へと移行して動作停止させる。
【００２５】
（２）本発明によるデモ表示の表示制御
かかる構成に加えてこの電子機器１は、当該電子機器１が備える機能や特徴的な構成等の情報を、表示部９に文字列で表示するデモ表示機能を備えている。このデモ表示は、電子機器１が商用電源に接続され、かつパワーオフの状態において、後述するデモ表示設定が「オン」のときにのみ表示される。またデモ表示は、マイコン１１がデモ表示制御プログラムを実行することにより表示制御される。
【００２６】
このデモ表示による表示文字列の例としては、ディスクチェンジャ機能をアピールする”５  ＤＩＳＫ  ＣＨＡＮＧＥＲ”や、内蔵アンプの機能をアピールする”Ｓ−ＭＡＳＴＥＲ  ＤＩＧＩＴＡＬ  ＡＭＰＬＩＦＩＥＲＳ”等があり、これらの表示文字列を所定の順序又はランダムに表示する。また、表示文字列の文字数が表示部９の表示文字数を越える場合は、当該表示文字列をスクロール表示する。
【００２７】
このデモ表示は、マイコン１１の不揮発ＲＡＭ（図示せず）に記憶されたデモ表示設定に応じて表示／非表示が決定される。すなわち、デモ表示設定が「オン」に設定されている場合、電子機器１はデモ表示を行うのに対し、当該デモ表示設定が「オフ」に設定されている場合はデモ表示を行わない。このデモ表示設定は、リモートコマンダー２０を用いて起動される設定メニュー上で任意に変更することができる。
【００２８】
実際上デモ表示は、販売店における店頭展示の際に、来店客に対し電子機器１をアピールして販売を促進するためのものである。このため本発明の電子機器１では、工場出荷時における初期設定として、デモ表示設定を「オン」に設定してある。これにより電子機器１は、販売店において商用電源に接続するだけで、自動的にデモ表示を開始することができる。
【００２９】
またデモ表示は、店頭においては来店客によってむやみに表示解除されないことが求められる一方、ユーザが当該電子機器１を購入して自宅等で使用する際には不要なものとなる。
【００３０】
このため本発明の電子機器１では、リモートコマンダー２０のパワーボタン２１を用いてパワーオン操作した場合、デモ表示設定を「オン」から「オフ」に自動変更するようにした。これにより、ユーザが当該電子機器１を購入して使用を開始する際、リモートコマンダー２０のパワーボタン２１を押下するだけで、初期設定によるデモ表示設定が「オフ」に自動変更され、これ以降デモ表示は表示されない。
【００３１】
そして、販売店では電子機器１のみを展示してリモートコマンダー２０を展示しないようにすれば、来店客はリモートコマンダー２０を用いてパワーオン操作することも、設定メニューを起動することもできないことから、来店客による無用なデモ表示の解除を確実に防止することができる。
【００３２】
ここで、販売店によっては電子機器１とともにリモートコマンダー２０を展示する必要があることもある。この場合、来店客がリモートコマンダー２０を用いてパワーオン操作することにより、デモ表示設定が「オフ」に自動変更されてしまうが、設定メニュー上でデモ表示設定を「オフ」から「オン」に再変更すればよい。
【００３３】
さらに電子機器１は、設定メニュー上でのデモ表示設定の変更履歴を不揮発ＲＡＭに記憶し、過去に当該設定メニュー上でデモ表示設定が変更されている場合は、リモートコマンダー２０を用いてパワーオンされたとしても、デモ表示設定を「オフ」に自動変更しないようにした。
【００３４】
これにより、店頭に電子機器１及びリモートコマンダー２０の双方を展示する場合、一度設定メニュー上でデモ表示設定を「オン」に変更しておけば、来店客がリモートコマンダー２０を用いてパワーオン操作した場合でも、デモ表示を継続させることができる。
【００３５】
（３）デモ表示制御処理手順
次に、表示制御手段及び設定変更手段としてのマイコン１１がデモ表示制御プログラムを実行することにより、上述したデモ表示の表示制御を行う際のデモ表示制御処理手順を、図４に示すフローチャートを用いて詳細に説明する。
【００３６】
電子機器１のマイコン１１は、当該電子機器１の工場出荷後、主電源部１３が初めて商用電源に接続されると、デモ表示制御処理手順ルーチンＲＴ１の開始ステップから入ってステップＳＰ１に移り、工場出荷時の初期設定として、不揮発ＲＡＭに記憶されたデモ表示設定が「オン」であることを確認して、次のステップＳＰ２に移る。この時点では、電子機器１はまだパワーオフの状態にある。
【００３７】
ステップＳＰ２においてマイコン１１は、デモ表示設定が「オン」であるか否かを判定する。ステップＳＰ２においてデモ表示設定が「オン」である場合、表示制御手段としてのマイコン１１はステップＳＰ３に移ってデモ表示を開始した後ステップＳＰ４に移る。そしてマイコン１１はステップＳＰ４において、電子機器１本体のパワーボタン３及びリモートコマンダー２０のパワーボタン２１を用いたパワーオン操作を待ち受け、当該パワーオン操作を受けつけると次のステップＳＰ７に移る。
【００３８】
一方、ステップＳＰ２においてデモ表示設定が「オフ」である場合、表示制御手段としてのマイコン１１はステップＳＰ５に移ってデモ表示を行うことなくステップＳＰ６に移る。そしてマイコン１１はステップＳＰ６において、電子機器１本体のパワーボタン３及びリモートコマンダー２０のパワーボタン２１を用いたパワーオン操作を待ち受け、当該パワーオン操作を検出すると次のステップＳＰ７に移る。
【００３９】
ステップＳＰ７において、設定変更手段としてのマイコン１１は、設定メニュー上でのデモ表示設定の変更履歴の有無を判定する。ステップＳＰ７において、設定メニュー上での設定変更履歴が無いと判定した場合、マイコン１１はステップＳＰ８に移り、検出したオン操作がリモートコマンダー２０のパワーボタン２１によるパワーオン操作であるか否かを判定する。
【００４０】
ステップＳＰ８において肯定結果が得られた場合、このことは、過去に設定メニュー上で設定変更が行われていない状態でリモートコマンダー２０を用いたパワーオン操作が行われたことを表しており、このとき設定変更手段としてのマイコン１１はステップＳＰ９に移り、デモ表示設定を「オフ」に変更した後、ステップＳＰ１０に移って電子機器１全体を起動する。これにより電子機器１は、工場出荷後最初にリモートコマンダー２０によるパワーオン操作が行われた時点で、デモ表示を解除する。
【００４１】
これに対して、ステップＳＰ８において否定結果が得られた場合、このことは、過去に設定メニュー上で設定変更が行われていない状態で電子機器１本体のパワーボタン３を用いたパワーオン操作が行われたことを表しており、このとき設定変更手段としてのマイコン１１はデモ表示設定を変更することなくステップＳＰ１０に移り、電子機器１全体を起動する。これにより電子機器１は、工場出荷後、最初にリモートコマンダー２０によるパワーオン操作が行われるまではデモ表示を継続する。
【００４２】
一方、ステップＳＰ７において設定メニュー上での設定変更履歴が有ると判定した場合、このことは、過去にユーザが設定メニュー上で意図的にデモ表示設定を変更したことを表しており、このとき設定変更手段としてのマイコン１１は、デモ表示設定を変更することなくステップＳＰ１０に移って電子機器１全体を起動する。これにより電子機器１は、リモートコマンダー２０によるパワーオン操作が行われてデモ表示設定が自動的に「オフ」となった後、設定メニュー上でデモ表示設定が「オン」に変更された場合、ユーザによる設定変更を尊重してデモ表示を継続する。
【００４３】
そして、マイコン１１は次のステップＳＰ１１において、電子機器１本体のパワーボタン３及びリモートコマンダー２０のパワーボタン２１を用いたパワーオフ操作を待ち受け、当該パワーオフ操作を検出するとステップＳＰ１２に移り、電子機器１の動作を停止した後ステップＳＰ２に戻る。
【００４４】
（４）動作及び効果
以上の構成において、この電子機器１は、パワーオフ状態で、かつデモ表示設定が「オン」のとき、表示部９にデモ表示を行う。
【００４５】
そして電子機器１は、工場出荷時の初期設定としてデモ表示設定が「オン」に設定されていることにより、販売店で店頭展示する際、当該電子機器１を商用電源に接続するだけで、自動的にデモ表示を開始することができる。
【００４６】
また電子機器１は、リモートコマンダー２０のパワーボタン２１を用いたパワーオン操作を受け付けると、設定メニュー上でのデモ表示設定の設定変更履歴を照会し、当該設定変更履歴が無い場合、デモ表示設定を「オフ」に変更した後、当該電子機器１を起動する。
【００４７】
これにより電子機器１は、購入したユーザがリモートコマンダー２０でパワーオン操作を行うだけで、ユーザに煩雑な解除操作を強いることなく、自動的にデモ表示を解除することができる。
【００４８】
また電子機器１は、リモートコマンダー２０を用いたパワーオン操作か、あるいは当該リモートコマンダー２０を用いて起動される設定メニューによってのみ、デモ表示設定を変更できるようにした。
【００４９】
これにより電子機器１は、その店頭展示の際にリモートコマンダー２０を展示しないようにするだけで、デモ表示設定を保護することができ、来店客による無用なデモ表示の解除を防止することが出来る。
【００５０】
これに加えて電子機器１は、設定メニュー上でのデモ表示設定の設定変更履歴が有る場合は、リモートコマンダー２０を用いたパワーオン操作を受け付けたとしても、デモ表示設定を変更しない。
【００５１】
これにより電子機器１は、リモートコマンダー２０を共に店頭展示する必要がある場合でも、設定メニュー上でデモ表示設定を「オン」に変更しておけば、たとえ来店客がリモートコマンダー２０を用いたパワーオン操作を行ったとしても、デモ表示設定が「オフ」に変更されることなく、パワーオフ時のデモ表示を継続することができる。
【００５２】
以上の構成によれば、初期状態にある電子機器１を商用電源に接続するだけで、自動的にデモ表示を開始させられるとともに、リモートコマンダー２０を用いたパワーオン操作を行うだけで当該デモ表示を解除することができ、さらには、設定メニュー上でデモ表示設定を「オン」に変更しておけば、確実にデモ表示を行わせることができる。
【００５３】
（５）他の実施の形態
なお上述の実施の形態においては、ＤＶＤプレーヤでなる電子機器１に本発明を適用した場合について述べたが、本発明はこれに限らず、例えばオーディオアンプやサラウンドプロセッサのようなオーディオ機器等、表示部を有する種々の電子機器に広く適用できる。
【産業上の利用可能性】
【００５４】
本発明の電子機器及び表示制御方法は、表示部を備えた種々の電子機器に適用することができる。
【図面の簡単な説明】
【００５５】
【図１】本発明による電子機器の外観構成を示す略線図である。
【図２】リモートコマンダーの外観構成を示す略線図である。
【図３】電子機器の回路構成を示すブロック図である。
【図４】デモ表示制御処理手順を示すフローチャートである。
【符号の説明】
【００５６】
１……電子機器、３……パワーボタン、９……表示部、１１……マイコン、２０……リモートコマンダー、２１……パワーボタン。
【図１】
2006215380.tif 000003
【図２】
2006215380.tif 000004
【図３】
2006215380.tif 000005
【図４】
2006215380.tif 000006